(57)【特許請求の範囲】
【請求項１】
アタッチメントが装着されていない第１状態で被検眼の撮影を行う第１撮影モードと、アタッチメントが装着されている第２状態で前記被検眼の撮影を行う第２撮影モードとを選択的に実行可能な眼科装置であって、
撮影モードを指定するためのインターフェイス部と、
前記インターフェイス部を用いて指定された撮影モードでの撮影の開始が指示された後に前記アタッチメントが装着されているか否かを判定する装着判定部と、
前記インターフェイス部を用いて指定された撮影モードと前記アタッチメントの装着状態との対応関係を示すテーブル情報をあらかじめ記憶する記憶部と、
前記テーブル情報に基づいて、前記装着判定部により判定された前記アタッチメントの装着状態と前記インターフェイス部を用いて指定された撮影モードとの対応関係の適否を判定する対応判定部と、
前記対応判定部により対応関係が適正ではないと判定されたときには前記指定された撮影モードの撮影を禁止し、前記対応関係が適正であると判定されたときには前記指定された撮影モードの撮影を許可するように前記インターフェイス部を制御する制御部と
を含む眼科装置。
【請求項２】
２以上の撮影モードに対応する２以上のアタッチメントが選択的に装着された状態で被検眼の撮影を行う眼科装置であって、
撮影モードを指定するためのインターフェイス部と、
前記インターフェイス部を用いて指定された撮影モードでの撮影の開始が指示された後に、装着されているアタッチメントの種別を特定する種別特定部と、
前記インターフェイス部を用いて指定された撮影モードと前記アタッチメントの種別との対応関係を示すテーブル情報をあらかじめ記憶する記憶部と、
前記テーブル情報に基づいて、前記種別特定部により特定された前記アタッチメントの種別と前記インターフェイス部を用いて指定された撮影モードとの対応関係の適否を判定する対応判定部と、
前記対応判定部により対応関係が適正ではないと判定されたときには前記指定された撮影モードの撮影を禁止し、前記対応関係が適正であると判定されたときには前記指定された撮影モードの撮影を許可するように前記インターフェイス部を制御する制御部と
を含む眼科装置。
【請求項３】
前記アタッチメントは、前眼部を撮影するための光学アタッチメントであり、
前記第１撮影モードは、眼底撮影モードであり、
前記第２撮影モードは、前眼部撮影モードである
ことを特徴とする請求項１に記載の眼科装置。
【請求項４】
前記２以上のアタッチメントは、前眼部を撮影するための光学アタッチメントを含み、
前記２以上の撮影モードは、眼底撮影モードと、前眼部撮影モードとを含む
ことを特徴とする請求項２に記載の眼科装置。
【発明の詳細な説明】
【技術分野】
【０００１】
本発明は、眼科装置に関する。
【背景技術】
【０００２】
眼科分野においては様々な装置が用いられる。たとえば、被検眼の画像を取得するための装置（撮影装置）や、被検眼を検査するための装置（検査装置）などが用いられる。撮影装置としては、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）装置、眼底カメラ、スリットランプ、走査型レーザ検眼鏡（ＳＬＯ）などがある。検査装置としては、レフラクトメータ、ケラトメータ、眼圧計、視野計などがある。また、２以上の装置を組み合わせてなる複合機も使用されている。
【０００３】
いくつかの眼科装置においては、撮影や検査のための主たる光路から外れた位置に、被検眼の前眼部（角膜等）を照明するための光源が設けられている。また、所定の機能を任意的に適用するためのアタッチメントを装着可能な眼科装置も各種存在する。典型的なアタッチメントとして、撮影や検査のための光学系と被検眼との間に配置される光学系を含むアタッチメントがある。
【先行技術文献】
【特許文献】
【０００４】
【特許文献１】特開２０１３−２１２３１４号公報
【発明の概要】
【発明が解決しようとする課題】
【０００５】
しかしながら、従来の眼科装置では、アタッチメントの装着状態や種別に応じて撮影モードを切り替えて、当該アタッチメントに対応した所定の撮影機能を実現していた。そのため、アタッチメントの装着状態や種別に対応しない撮影モードで撮影を行った場合、所望の撮影を行うことができず、撮影のやり直しなどが必要になっていた。
【０００６】
この発明の目的は、誤った撮影モードで被検眼を撮影してしまう事態を防止するための技術を提供することにある。
【課題を解決するための手段】
【０００７】
実施形態に係る眼科装置は、アタッチメントが装着されていない第１状態で被検眼の撮影を行う第１撮影モードと、アタッチメントが装着されている第２状態で被検眼の撮影を行う第２撮影モードとを選択的に実行可能な眼科装置である。眼科装置は、撮影モードを指定するためのインターフェイス部と、前記インターフェイス部を用いて指定された撮影モードでの撮影の開始が指示された後に前記アタッチメントが装着されているか否かを判定する装着判定部と、前記インターフェイス部を用いて指定された撮影モードと前記アタッチメントの装着状態との対応関係を示すテーブル情報をあらかじめ記憶する記憶部と、前記テーブル情報に基づいて、前記装着判定部により判定された前記アタッチメントの装着状態と前記インターフェイス部を用いて指定された撮影モードとの対応関係の適否を判定する対応判定部と、前記対応判定部により対応関係が適正ではないと判定されたときには前記指定された撮影モードの撮影を禁止し、前記対応関係が適正であると判定されたときには前記指定された撮影モードの撮影を許可するように前記インターフェイス部を制御する制御部とを含む。
また、実施形態に係る眼科装置は、２以上の撮影モードに対応する２以上のアタッチメントが選択的に装着された状態で被検眼の撮影を行う眼科装置である。眼科装置は、撮影モードを指定するためのインターフェイス部と、前記インターフェイス部を用いて指定された撮影モードでの撮影の開始が指示された後に、装着されているアタッチメントの種別を特定する種別特定部と、前記インターフェイス部を用いて指定された撮影モードと前記アタッチメントの種別との対応関係を示すテーブル情報をあらかじめ記憶する記憶部と、前記テーブル情報に基づいて、前記種別特定部により特定された前記アタッチメントの種別と前記インターフェイス部を用いて指定された撮影モードとの対応関係の適否を判定する対応判定部と、前記対応判定部により対応関係が適正ではないと判定されたときには前記指定された撮影モードの撮影を禁止し、前記対応関係が適正であると判定されたときには前記指定された撮影モードの撮影を許可するように前記インターフェイス部を制御する制御部とを含む。
【発明の効果】
【０００８】
この発明によれば、誤った撮影モードで被検眼を撮影してしまう事態を防止することが可能である。
【図面の簡単な説明】
【０００９】
【図１】実施形態に係る眼科装置の構成の一例を表す概略図である。
【図２】実施形態に係る眼科装置の構成の一例を表す概略図である。
【図３Ａ】実施形態に係る眼科装置の動作説明図である。
【図３Ｂ】実施形態に係る眼科装置の動作説明図である。
【図４】実施形態に係る眼科装置の動作説明図である。
【図５】実施形態に係る眼科装置の動作例を表すフローチャートである。
【図６】実施形態に係る眼科装置の動作を説明するための概略図である。
【図７】実施形態に係る眼科装置の動作説明図である。
【図８】実施形態に係る眼科装置の動作例を表すフローチャートである。
【発明を実施するための形態】
【００１０】
この発明に係る眼科装置の実施形態の一例について、図面を参照しながら詳細に説明する。以下の実施形態では、眼科装置として、たとえば特開２００８−７３０９９号公報に開示された装置と同様に、フーリエドメインタイプのＯＣＴ（より具体的には、スペクトラルドメインＯＣＴ）により被検眼のＯＣＴ画像および眼底像の双方を取得するための眼科装置を例に説明する。以下の実施形態では、被検眼のＯＣＴ画像として、被検眼の眼底および前眼部のＯＣＴ画像の取得が可能である。また、以下の実施形態に係る眼科装置は、さらに、被検眼を検査するための眼科検査装置の機能を有していてもよい。
【００１１】
また、以下では、アタッチメントの装着状態やその種別に対応した撮影モードで、被検眼における所望の撮影対象部位の撮影を行うものとする。アタッチメントには、対物レンズの前側に配置される１以上の光学素子を有する光学的アタッチメントや、被検者の顔を好適位置に配置させる顔受け（額当て、顎受け）アタッチメントなどがあるが、以下の実施形態では、主として、前者を例に説明する。
【００１２】
〔第１実施形態〕
［構成］
第１実施形態に係る眼科装置の構成の一例を図１に示す。眼科装置１は、被検眼Ｅの撮影を行う機能を備える。特に、眼科装置１は、被検眼Ｅの眼底Ｅｆを撮影する機能と、被検眼Ｅの前眼部Ｅａを撮影する機能とを備える。眼科装置１は、光学ユニット２と、移動機構５と、制御部７と、ユーザインターフェイス８とを含む。また、眼科装置１は、光学ユニット２に対して装着自在に構成されたアタッチメント４を含んでもよい。
【００１３】
（光学ユニット２）
光学ユニット２は、被検眼Ｅの撮影を行うための光学系２０を有する。光学系２０は、被検眼Ｅの撮影を行うための各種の光学素子を含む。また、光学ユニット２は、光学系２０を構成する光学素子を移動させたり回転させたりするための機構を含んでいてもよい。光学系２０には、特に、干渉光学系２１と、撮影光学系２２とが含まれている。
【００１４】
干渉光学系２１は、一般的なＯＣＴ装置と同様に、次の構成要素を含む：光源（低コヒーレンス光源、波長掃引光源など）；光源から出力された光を測定光と参照光とに分割し、且つ、被検眼Ｅからの測定光の戻り光と参照光とを干渉させるファイバカプラ；ＯＣＴ計測用の光路（測定光および／または参照光の光路）の光路長を変更するための手段；干渉光学系２１の合焦位置を変更するための合焦レンズなどの各種の光学素子；ファイバカプラにより生成された干渉光を検出する検出部（分光器、バランスドフォトディテクタなど）。この場合、眼科装置１は、検出部による干渉光の検出結果に基づいて被検眼Ｅ（眼底Ｅｆ、前眼部Ｅａなど）の断面像や３次元画像を形成する回路および／またはプロセッサを備える。
【００１５】
撮影光学系２２は、一般的な眼底カメラと同様に、次の構成要素を含む：各種のレンズ（合焦レンズ、結像レンズ、フォーカシングレンズ、リレーレンズなど）；レンズ以外の光学素子（絞りイメージセンサ（ＣＣＤイメージセンサ、ＣＭＯＳイメージセンサなど））。また、撮影光学系２２は、光源を含んでいてよい。この光源は、たとえば、赤外光（近赤外光）および／または可視光を発する。
【００１６】
撮影光学系２２は、２以上のカメラを含んだ構成であってもよい。たとえば、光学ユニット２の前面（被検者に対向する面）の異なる位置に２つのカメラを設ける。そして、２つのカメラを用いて異なる方向から前眼部Ｅａを撮影する。すなわち、２つのカメラは、前眼部Ｅａのステレオ撮影を行う。眼科装置１は、２つのカメラにより実質的に同時に取得された２つの画像に基づいて、前眼部Ｅａの位置情報を求めることが可能である。
【００１７】
一方、図１に示す構成例においては、光学系２０が光学ユニット２の内部に格納されている。光学系２０においては、干渉光学系２１から延びる光路と、撮影光学系２２から延びる光路とが、ビームスプリッタ２３によって合成されている。ビームスプリッタ２３としては、たとえば、干渉光学系２１により使用される波長帯および撮影光学系２２により使用される波長帯に応じて、ダイクロイックミラーやハーフミラーが適用される。ビームスプリッタ２３により合成された光路ＯＰには、対物レンズ２４が配置されている。
【００１８】
光学ユニット２の前面にアタッチメント４を装着することが可能である。なお、図１はアタッチメント４が装着されている状態を示しているが、アタッチメント４は、対物レンズ２４と被検眼Ｅとの間に配置される。アタッチメント４が装着される光学ユニット２の部位（またはその近傍）には、装着検知部４１が設けられている。装着検知部４１は、アタッチメント４の装着を検知する。「装着を検知する」とは、たとえば、装着されたことの検知、装着されていることの検知、取り外されたことの検知、取り外されていることの検知など、アタッチメント４の装着に関する任意のイベントの検知および／または任意の状態の検知を意味するものとする。装着検知部４１は、たとえば、アタッチメント４の装着（または取り外し）に応じて発生する所定の物理量の変動を受けてアタッチメント４の装着を検知する。この物理量の例として、磁場の大きさ・方向や、圧力の大きさ（有無）などがある。装着検知部４１は、検出対象である物理量の種別に応じた構成を有する（たとえば磁気センサや圧力センサやマイクロスイッチなど）。また、検出対象である物理量の種別に応じてアタッチメント４に付加的な構成要素が設けられる（たとえば磁石や凸部や凹部など）。
【００１９】
アタッチメント４として、干渉光学系２１を用いて前眼部のＯＣＴを実施するための前眼部撮影用アタッチメント（光学アタッチメント）を適用することが可能である。このアタッチメント４には、少なくとも、干渉光学系２１から出力された測定光を前眼部Ｅａ（角膜等）に集束させるためのレンズが含まれている。すなわち、このレンズは、本来は眼底Ｅｆに集束される測定光を前眼部Ｅａに集束させるように作用する。
【００２０】
移動機構５は、光学ユニット２を移動させるための機構である。移動機構５は、少なくとも前後方向（±ｚ方向）に光学ユニット２を移動させるが、光学ユニット２の移動可能方向はこれには限定されない。光学ユニット２の移動態様は、電動での移動および／または手動での移動である。電動の場合、移動機構５にはアクチュエータ５１が設けられる。アクチュエータ５１は、たとえばパルスモータを含む。アクチュエータ５１は、制御部７からの制御を受けて駆動力を発生する。移動機構５は、アクチュエータ５１により出力された駆動力を光学ユニット２まで伝達する機構を含む。なお、制御部７は、既定のコンピュータプログラムにしたがってアクチュエータ５１を自動制御し、或いは、制御部７は、ユーザインターフェイス８の操作部８２からの操作信号に基づいてアクチュエータ５１を制御する。手動の場合、アクチュエータ５１は設けられていなくてよい。手動の場合、ユーザは、操作部８２を用いて、光学ユニット２を移動させるための操作を行う。この操作により印加された力Ｆ１は、図示しない機構を介して移動機構５まで伝達され、移動機構５によって光学ユニット２を移動させるための力Ｆ２に変換される。
【００２１】
また、干渉光学系２１は、干渉光学系２１の焦点位置を変更する第１合焦レンズ（図示せず）をその光軸方向に移動させるための移動機構２１ａを備える。第１合焦レンズは、１以上のレンズにより構成される。第１合焦レンズの移動態様は、電動での移動および／または手動での移動である。電動の場合、移動機構２１ａにはアクチュエータが設けられる。アクチュエータは、たとえばパルスモータを含む。アクチュエータは、制御部７からの制御を受けて駆動力を発生する。移動機構２１ａは、アクチュエータにより出力された駆動力を第１合焦レンズまで伝達する機構を含む。なお、制御部７は、既定のコンピュータプログラムにしたがってアクチュエータを自動制御し、或いは、制御部７は、ユーザインターフェイス８の操作部８２（合焦操作部８２２）からの操作信号に基づいてアクチュエータを制御する。手動の場合、アクチュエータは設けられていなくてよい。手動の場合、ユーザは、操作部８２（合焦操作部８２２）を用いて、第１合焦レンズを移動させるための操作を行う。この操作により印加された力Ｆ１´は、図示しない機構を介して移動機構２１ａまで伝達され、移動機構２１ａによって第１合焦レンズを移動させるための力Ｆ２´に変換される。
【００２２】
同様に、撮影光学系２２は、撮影光学系２２の焦点位置を変更する第２合焦レンズ（図示せず）をその光軸方向に移動させるための移動機構２２ａを備える。第２合焦レンズは、１以上のレンズにより構成される。第２合焦レンズの移動態様は、電動での移動および／または手動での移動である。電動の場合、移動機構２２ａにはアクチュエータが設けられる。アクチュエータは、たとえばパルスモータを含む。アクチュエータは、制御部７からの制御を受けて駆動力を発生する。移動機構２２ａは、アクチュエータにより出力された駆動力を第２合焦レンズまで伝達する機構を含む。なお、制御部７は、既定のコンピュータプログラムにしたがってアクチュエータを自動制御し、或いは、制御部７は、ユーザインターフェイス８の操作部８２（合焦操作部８２２）からの操作信号に基づいてアクチュエータを制御する。手動の場合、アクチュエータは設けられていなくてよい。手動の場合、ユーザは、操作部８２（合焦操作部８２２）を用いて、第２合焦レンズを移動させるための操作を行う。この操作により印加された力Ｆ１´´は、図示しない機構を介して移動機構２２ａまで伝達され、移動機構２２ａによって第２合焦レンズを移動させるための力Ｆ２´´に変換される。
【００２３】
制御部７は、たとえば、マイクロプロセッサ、ＲＡＭ、ＲＯＭ、ハードディスクドライブ、プログラマブルロジックデバイス、通信インターフェイス等を含んで構成される。制御部７は眼科装置１における各種制御を行う。たとえば、制御部７は、干渉光学系２１の制御、撮影光学系２２の制御、移動機構５（アクチュエータ）の制御、情報出力部８１の制御などを実行する。アタッチメント４に制御可能な構成要素が含まれている場合、制御部７は、当該構成要素の制御を行うことが可能である。
【００２４】
また、制御部７は、画像形成部または画像処理部としての機能を実行することが可能である。たとえば、制御部７は、干渉光学系２１における検出部による干渉光の検出信号に基づいて、被検眼Ｅの断層像の画像データを形成する。たとえば、この処理には、従来のスペクトラルドメインタイプのＯＣＴと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。他のタイプのＯＣＴが適用される場合、制御部７は、そのタイプに応じた公知の処理を実行する。また、制御部７は、撮影光学系２２により撮影して得られた画像を受けて、その画像データに対して所定の画像処理などを施す。
【００２５】
また、制御部７は、各種のデータを記憶する。制御部７に記憶されるデータとしては、たとえば、干渉光学系２１により取得されたデータ（検査データ、撮影データ）や、撮影光学系２２により取得された画像データや、被検者情報や、被検眼情報などがある。また、制御部７には、眼科装置１を動作させるための各種コンピュータプログラムやデータが記憶されている。
【００２６】
ユーザインターフェイス８は、撮影モードの指定など眼科装置１を操作するために用いられる。また、ユーザインターフェイス８は、ユーザに情報を報知するために用いられる。このようなユーザインターフェイス８は、情報出力部８１と、操作部８２とを含む。情報出力部８１は、表示デバイス、音声出力デバイス、印刷デバイスなどを含む。情報出力部８１は、制御部７による制御を受けて動作する。操作部８２は、眼科装置１を操作するためにユーザによって使用される。また、操作部８２は、眼科装置１に対して情報を入力するために使用される。このような操作部８２は、光学系操作部８２１を含む。光学系操作部８２１は、被検眼Ｅに対する光学系２０の合焦を行うための合焦操作部８２２を含む。操作部８２には、眼科装置１の筐体や外部に設けられた各種のボタンやキーやレバーが含まれていてもよい。情報出力部８１と操作部８２は、それぞれ個別のデバイスとして構成される必要はない。たとえばタッチパネルのように、表示機能と操作機能とが一体化されたデバイスを用いることも可能である。この場合、タッチパネルの表示画面にアイコンを表示させ、ユーザがアイコンを指定する操作を行うことにより、当該アイコンに対応した操作信号が制御部７に対して出力される。ユーザインターフェイス８は、この実施形態に係る「インターフェイス部」の一例である。
【００２７】
操作部８２は、眼科装置１により実行される撮影モードを指定するためにユーザによって使用される。この実施形態では、撮影モードには、少なくとも、被検眼Ｅの眼底Ｅｆを撮影するための眼底撮影モードと、被検眼Ｅの前眼部Ｅａを撮影するための前眼部撮影モードとがある。眼科装置１は、アタッチメント４が装着されていない状態で、ＯＣＴにより被検眼Ｅの眼底Ｅｆの撮影を行うことが可能である。この眼科装置１にアタッチメント４を装着することにより、眼科装置１は、ＯＣＴにより被検眼Ｅの前眼部Ｅａの撮影を行うことが可能になる。すなわち、眼科装置１は、アタッチメント４が装着されている第１状態で被検眼Ｅの前眼部Ｅａの撮影を行い、アタッチメント４が装着されていない第２状態で被検眼Ｅの眼底Ｅｆの撮影行うことが可能である。
【００２８】
光学系操作部８２１は、光学系２０の操作を行うためにユーザによって使用される。光学系２０の操作には、干渉光学系２１の焦点位置を変更するための操作、干渉光学系２１におけるＯＣＴ計測用の光路の光路長を変更するための操作、撮影光学系２２の焦点位置を変更するための操作、干渉光学系２１または撮影光学系２２の光源（波長）を切り替えるための操作、干渉光学系２１または撮影光学系２２の光路に対し所定の光学部材を挿脱させるための操作などがある。合焦操作部８２２は、干渉光学系２１や撮影光学系２２の焦点位置を変更するための操作を行うためにユーザによって使用される。制御部７は、光学系操作部８２１から信号の入力を受けたとき、現に実行されている撮影モードに応じて光学系２０の制御を行う。
【００２９】
図２に、図１の制御部７の構成例の機能ブロック図の一例を示す。制御部７は、装着判定部７１と、インターフェイス制御部７２と、対応判定部７３とを含む。
【００３０】
装着判定部７１は、アタッチメント４が光学ユニット２に装着されているか否かを判定する。その具体例として、装着判定部７１は、装着検知部４１によるアタッチメント４の装着状態の検知結果を受け、当該検知結果に基づいてアタッチメント４が光学ユニット２に装着されているか否かを判定する。また、光学ユニット２に装着検知部４１が搭載されない場合には、情報出力部８１によりユーザにアタッチメント４が装着されているか否かを問い合わせ、その回答内容を操作部８２に対する操作内容として受け、装着判定部７１は、当該操作内容に基づいてアタッチメント４が光学ユニット２に装着されているか否かを判定してもよい。
【００３１】
インターフェイス制御部７２は、装着判定部７１による判定結果に基づいてユーザインターフェイス８を制御する。その具体例として、インターフェイス制御部７２は、装着判定部７１による判定結果に対応する撮影モード以外の撮影モードを指定するための操作を禁止するようにユーザインターフェイス８を制御する。
【００３２】
撮影モードによっては、アタッチメント４が光学ユニット２に装着されていることを前提として所望の撮影機能が実現される。そこで、装着判定部７１により判定されたアタッチメント４の装着状態に対応する撮影モードを「指定可能な撮影モード」とし、それ以外の撮影モードを「指定不可能な撮影モード」として定義することが可能である。インターフェイス制御部７２は、装着判定部７１により判定されたアタッチメント４の装着状態において「指定可能な撮影モード」を指定するための操作を許可し、且つ、当該装着状態において「指定不可能な撮影モード」を指定するための操作を禁止するようにユーザインターフェイス８を制御する。ユーザインターフェイス８に対する制御例として、インターフェイス制御部７２は、ユーザインターフェイス８の少なくとも操作部８２の機能を実現したタッチパネルの表示画面に表示されるアイコンの表示態様を変更することが可能である。
【００３３】
インターフェイス制御部７２により変更されるアイコンの表示態様の例として、「指定可能な撮影モード」を指定するためのアイコンのみを操作可能な状態で表示画面に表示させる態様（すなわち、「指定不可能な撮影モード」を指定するためのアイコンを操作可能な状態で表示画面に表示させない態様）や、「指定可能な撮影モード」を指定するためのアイコンのみを表示画面に表示させる態様（すなわち、「指定不可能な撮影モード」を指定するためのアイコンを表示画面に表示させない態様）などがある。「指定可能な撮影モード」を指定するためのアイコンに対してユーザが操作を行ったとき、インターフェイス制御部７２は、当該アイコンに対応した操作信号を制御部７に出力させることにより、撮影モードを指定するための操作を有効化する。「指定不可能な撮影モード」を指定するためのアイコンに対してユーザが操作を行ったとしても、インターフェイス制御部７２は、当該アイコンに対応した操作信号をマスクするなどして、撮影モードを指定するための操作を無効化する。
【００３４】
図３Ａおよび図３Ｂに、インターフェイス制御部７２による制御例の説明図を示す。図３Ａおよび図３Ｂは、操作部８２の機能を実現したタッチパネルの表示画面９０において、眼底撮影モードを指定するためのアイコン９１と、前眼部撮影モードを指定するためのアイコン９２とを模式的に表したものである。
【００３５】
たとえば、アタッチメント４が光学ユニット２に装着されていないと装着判定部７１により判定された場合、指定可能な撮影モードは眼底撮影モードであり、指定不可能な撮影モードは前眼部撮影モードである。したがって、アタッチメント４が光学ユニット２に装着されていないと装着判定部７１により判定された場合、インターフェイス制御部７２は、図３Ａに示すように、表示画面９０において眼底撮影モードを指定するためのアイコン９１を識別可能に表示させ、前眼部撮影モードを指定するためのアイコン９２を表示させないようにする。ユーザは、眼底撮影モードを指定するためのアイコン９１に対してのみ操作が可能である。
【００３６】
また、たとえば、アタッチメント４が光学ユニット２に装着されていると装着判定部７１により判定された場合、指定可能な撮影モードは前眼部撮影モードであり、指定不可能な撮影モードは眼底撮影モードである。したがって、アタッチメント４が光学ユニット２に装着されている装着判定部７１により判定された場合、インターフェイス制御部７２は、図３Ｂに示すように、表示画面９０において前眼部撮影モードを指定するためのアイコン９２を識別可能に表示させ、眼底撮影モードを指定するためのアイコン９１を表示させないようにする。ユーザは、前眼部撮影モードを指定するためのアイコン９２に対してのみ操作が可能である。
【００３７】
なお、インターフェイス制御部７２は、アタッチメント４の装着状態に応じて、各撮影モードにおいて設定可能なパラメータ（スキャンパターンや光学系２０の合焦位置など）を設定するための操作についても、禁止または許可する制御を行うことが可能である。
【００３８】
また、撮影モードを指定するための操作を許可するようにユーザインターフェイス８を制御する例として、表示画面に表示されるアイコンの表示態様を変更することなく、インターフェイス制御部７２は、単に、ユーザインターフェイス８の操作部８２に対してユーザが当該撮影モードを指定するための操作のみを有効化してもよい。また、撮影モードを指定するための操作を禁止するようにユーザインターフェイス８を制御する例として、表示画面に表示されるアイコンの表示態様を変更することなく、インターフェイス制御部７２は、単に、ユーザインターフェイス８の操作部８２に対してユーザが当該撮影モードを指定するための操作のみを無効化してもよい。
【００３９】
眼科装置１は、指定された撮影モードで撮影開始指示が行われたとき、装着判定部７１によりアタッチメント４の装着状態を再度判定することが可能である。これにより、ユーザインターフェイス８を制御した後にアタッチメント４の装着状態が変更された場合であっても、誤った撮影モードで被検眼Ｅを撮影してしまう事態を防止することができる。そこで、制御部７は、対応判定部７３を有する。
【００４０】
対応判定部７３は、ユーザインターフェイス８（操作部８２）を用いて指定された撮影モードと撮影開始指示後に装着判定部７１により得られたアタッチメント４の装着状態との対応関係の適否を判定する。ユーザインターフェイス８を用いて指定された撮影モードとアタッチメント４の装着状態との対応関係を示すテーブル情報が、制御部７の図示しない記憶部にあらかじめ記憶されている（図４参照）。対応判定部７３は、記憶部にあらかじめ記憶されたテーブル情報に基づいて、指定された撮影モードとアタッチメント４の装着状態との対応関係の適否を判定することが可能である。
【００４１】
ユーザインターフェイス８を用いて指定された撮影モードが眼底撮影モードであり、装着判定部７１によりアタッチメント４が光学ユニット２に装着されていないと撮影開始指示後に判定された場合、対応判定部７３は、図４に示すテーブル情報に基づいて、撮影モードとアタッチメント４の装着状態との対応関係は適正であると判定する。ユーザインターフェイス８を用いて指定された撮影モードが眼底撮影モードであり、装着判定部７１によりアタッチメント４が光学ユニット２に装着されていると撮影開始指示後に判定された場合、対応判定部７３は、図４に示すテーブル情報に基づいて、撮影モードとアタッチメント４の装着状態との対応関係は適正ではないと判定する。
【００４２】
また、ユーザインターフェイス８を用いて指定された撮影モードが前眼部撮影モードであり、装着判定部７１によりアタッチメント４が光学ユニット２に装着されていないと撮影開始指示後に判定された場合、対応判定部７３は、図４に示すテーブル情報に基づいて、撮影モードとアタッチメント４の装着状態との対応関係は適正ではないと判定する。ユーザインターフェイス８を用いて指定された撮影モードが前眼部撮影モードであり、装着判定部７１によりアタッチメント４が光学ユニット２に装着されていると撮影開始指示後に判定された場合、対応判定部７３は、図４に示すテーブル情報に基づいて、撮影モードとアタッチメント４の装着状態との対応関係は適正であると判定する。
【００４３】
撮影モードとアタッチメント４の装着状態との対応関係が適正であると対応判定部７３により判定された場合、制御部７は、少なくとも、光学系２０の制御を行う。光学系２０の制御には、指定された撮影モードに対応した光学系２０を構成する光学素子の配置制御などの指定された撮影モードでの撮影を準備するための制御や、撮影を開始させるための制御などが含まれる。撮影を準備するための制御には、たとえば、干渉光学系２１や撮影光学系２２の所定の合焦位置に光学素子を移動させる制御や、測定光および／または参照光の光路長を所定の長さに設定するための制御や、当該撮影モードに関連して受け付けられた各種パラメータに応じた光学素子の制御や、適用される光源や波長を切り替える制御などがある。
【００４４】
撮影モードとアタッチメント４の装着状態との対応関係が適正ではないと対応判定部７３により判定された場合、制御部７は、少なくとも、指定された撮影モードでの撮影を禁止するための制御を行う。たとえば、撮影を禁止するための制御には、情報出力部８１に報知情報を表示させる表示制御を含む。報知情報の例として、撮影モードにより決められるアタッチメント４の装着状態の誤りを報知するための情報や、撮影モードの切り替えをユーザに促すための情報や、アタッチメント４の装着状態の変更をユーザに促すための情報などがある。
【００４５】
なお、撮影モードとアタッチメント４の装着状態との対応関係が適正ではないと対応判定部７３により判定された後、対応判定部７３がこの対応関係の適否を再度判定し、当該対応関係が適正であると判定された場合、制御部７は、指定された撮影モードの撮影の禁止を解除することが可能である。対応判定部７３による対応関係の適否の再判定タイミングは、所定の時間間隔であってもよいし、装着判定部７１による判定タイミングに同期させるようにしてもよい。また、ユーザが所定の操作を行ったことに対応して再判定を実行するようにしてもよい。
【００４６】
これにより、ユーザインターフェイス８の制御後にアタッチメント４の装着状態が変更された場合に、たとえば、アタッチメント４が装着されていない状態で前眼部撮影モードにより撮影が行われたり、アタッチメント４が装着されている状態で眼底撮影モードにより撮影が行われたりすることがなく、誤った撮影モードで被検眼Ｅを撮影してしまう事態を防止することが可能になる。
【００４７】
［動作］
眼科装置１の動作について説明する。図５は、眼科装置１の動作の一例を表す。
【００４８】
（Ｓ１）
まず、制御部７は、装着判定部７１において、アタッチメント４が光学ユニット２に装着されているか否かを判定する。
【００４９】
（Ｓ２）
次に、制御部７は、インターフェイス制御部７２において、Ｓ１において判定されたアタッチメント４の装着状態に応じてユーザインターフェイス８を制御する。たとえば、アタッチメント４が光学ユニット２に装着されていないと装着判定部７１により判定された場合、インターフェイス制御部７２は、図３Ａに示すように、表示画面９０において眼底撮影モードを指定するためのアイコン９１を識別可能に表示させ、前眼部撮影モードを指定するためのアイコン９２を表示させないようにする。また、アタッチメント４が光学ユニット２に装着されている装着判定部７１により判定された場合、インターフェイス制御部７２は、図３Ｂに示すように、表示画面９０において前眼部撮影モードを指定するためのアイコン９２を識別可能に表示させ、眼底撮影モードを指定するためのアイコン９１を表示させないようにする。
【００５０】
（Ｓ３）
次に、制御部７は、ユーザインターフェイス８（操作部８２）に対するユーザの撮影モードの指定を監視し、ユーザインターフェイス８に対してユーザにより指定された撮影モードを受け付ける。
【００５１】
（Ｓ４）
次に、制御部７は、Ｓ３において指定された撮影モードでの撮影開始指示がユーザにより操作部８２に対して行われたか否かを監視する（Ｓ４：Ｎ）。操作部８２に対して撮影開始指示が行われたとき（Ｓ４：Ｙ）、制御部７による制御は、Ｓ５に移行する。
【００５２】
（Ｓ５）
操作部８２に対して撮影開始指示が行われたとき（Ｓ４：Ｙ）、制御部７は、Ｓ１と同様に、装着判定部７１において、アタッチメント４が光学ユニット２に装着されているか否かを判定する。
【００５３】
（Ｓ６）
次に、制御部７は、対応判定部７３において、たとえば図４に示すテーブル情報にしたがって、Ｓ３において指定された撮影モードとＳ５において判定されたアタッチメント４の装着状態との対応関係の適否を判定する。Ｓ３は、Ｓ１のアタッチメント４の装着状態に応じて制御されたユーザインターフェイス８に対して行われる。Ｓ６は、Ｓ３において撮影モードの指定が行われた後にアタッチメント４の装着状態が変更された場合であっても、誤った撮影モードで被検眼Ｅを撮影してしまう事態を防止するために実行される。Ｓ３において指定された撮影モードとＳ５において判定されたアタッチメント４の装着状態との対応関係が適正であると判定されたとき（Ｓ６：Ｙ）、制御部７による制御は、Ｓ７に移行する。一方、Ｓ３において指定された撮影モードとＳ５において判定されたアタッチメント４の装着状態との対応関係が適正ではないと判定されたとき（Ｓ６：Ｎ）、制御部７による制御は、Ｓ８に移行する。
【００５４】
（Ｓ７）
Ｓ６において、Ｓ３において指定された撮影モードとＳ５において判定されたアタッチメント４の装着状態との対応関係が適正であると判定されたとき（Ｓ６：Ｙ）、制御部７は、Ｓ３において指定された撮影モードでの撮影の許可制御を行う。この撮影の許可制御には、Ｓ３において指定された撮影モードによる撮影を行うための光学系２０を構成する光学素子の配置制御などが含まれる。また、たとえば、制御部７は、Ｓ３において指定された撮影モードでの撮影を行うための各種パラメータを設定するための操作部８２に対するユーザの操作入力を受け付け可能に変更し、受け付けられた各種パラメータに応じて光学系２０を制御することも可能である。
【００５５】
Ｓ７では、たとえば、次のような制御が可能である。Ｓ６において対応判定部７３の判定結果に基づいて眼底撮影モードでの撮影が許可された場合、制御部７は、合焦操作部８２２を用いた操作に基づいて撮影光学系２２および干渉光学系２１の双方の合焦位置を移動させることが可能である。一方、Ｓ６において対応判定部７３の判定結果に基づいて前眼部撮影モードでの撮影が許可された場合、制御部７は、干渉光学系２１の合焦位置の移動を禁止し、且つ、合焦操作部８２２を用いた操作に基づいて撮影光学系２２の合焦位置を移動させることが可能である。すなわち、制御部７は、眼底撮影モードが実行されているときに合焦操作部８２２が操作された場合、撮影光学系２２および干渉光学系２１の双方の合焦位置を移動させ、前眼部撮影モードが実行されているときに合焦操作部８２２が操作された場合、撮影光学系２２の合焦位置のみを移動させることが可能である。このように、Ｓ７では、合焦操作部８２２に対する操作に対して同一の操作を行っても、指定された撮影モードに応じた光学系２０の制御が可能である。これにより、撮影モードに応じてユーザの操作性を向上させることができる。
【００５６】
こうして、Ｓ７において、制御部７は、Ｓ３において指定された撮影モードで、上記のように制御された光学系２０の配置で、被検眼Ｅの撮影を行う。
【００５７】
（Ｓ８）
Ｓ６において、Ｓ３において指定された撮影モードとＳ５において判定されたアタッチメント４の装着状態との対応関係が適正ではないと判定されたとき（Ｓ６：Ｎ）、制御部７は、Ｓ３において指定された撮影モードでの撮影の禁止制御を行う。この撮影の禁止制御には、情報出力部８１に報知情報を表示させる表示制御を含む。報知情報には、上記のようにアタッチメント４の装着状態の変更をユーザに促すための情報などがある。
【００５８】
（Ｓ９）
Ｓ８の禁止制御が所定の繰り返し回数以内のとき（Ｓ９：Ｙ）、制御部７による制御は、Ｓ５に移行する。これにより、所定の繰り返し回数以内で、Ｓ３において指定された撮影モードでの撮影の禁止を解除することが可能になる。一方、Ｓ８の禁止制御が所定の繰り返し回数以内ではないとき（Ｓ９：Ｎ）、制御部７による制御は、Ｓ１に移行する。
【００５９】
なお、制御部７は、Ｓ４において、Ｓ３において指定された撮影モードでの撮影開始指示が行われたとき、Ｓ５およびＳ６のアタッチメント４の装着状態との対応関係の適否を判定することなく、Ｓ７において、Ｓ３において指定された撮影モードで被検眼Ｅの撮影を行うようにすることも可能である。
【００６０】
［効果］
眼科装置１の効果について説明する。
【００６１】
眼科装置１は、アタッチメント４が装着されていない第１状態で被検眼Ｅの撮影を行う眼底撮影モード（第１撮影モード）と、アタッチメント４が装着されている第２状態で被検眼Ｅの撮影を行う前眼部撮影モード（第２撮影モード）とを選択的に実行可能な装置である。眼科装置１は、ユーザインターフェイス８（インターフェイス部）と、装着判定部７１と、制御部７とを含む。ユーザインターフェイス８は、撮影モードを指定するために用いられる。装着判定部７１は、アタッチメント４が装着されているか否かを判定する。制御部７は、装着判定部７１による判定結果に対応する撮影モード以外の撮影モードを指定するための操作を禁止するようにユーザインターフェイス８を制御する。
【００６２】
このような構成によれば、アタッチメント４の装着状態に応じてユーザインターフェイス８を制御することにより、当該撮影状態に対応した撮影モード以外の撮影モードを指定するための操作を禁止することができるので、誤った撮影モードで被検眼Ｅを撮影してしまう事態を防止することが可能である。
【００６３】
また、眼科装置１は、対応判定部７３を含んでもよい。対応判定部７３は、指定された撮影モードでの撮影の開始が指示された後に装着判定部７１により判定されたアタッチメントの装着状態と、ユーザインターフェイス８を用いて指定された撮影モードとの対応関係の適否を判定する。制御部７は、対応関係が適正ではないと判定されたときには、指定された撮影モードの撮影を禁止するための制御を行い、対応関係が適正であると判定されたときには、指定された撮影モードの撮影を許可する。
【００６４】
このような構成によれば、ユーザインターフェイス８の制御後にアタッチメント４の装着状態が変更された場合に、たとえば、アタッチメント４が装着されていない状態で前眼部撮影モードにより撮影が行われたり、アタッチメント４が装着されている状態で眼底撮影モードにより撮影が行われたりすることがなく、誤った撮影モードで被検眼Ｅを撮影してしまう事態を防止することが可能になる。
【００６５】
また、アタッチメント４は、前眼部を撮影するための光学アタッチメントであり、第１撮影モードは、眼底撮影モードであり、第２撮影モードは、前眼部撮影モードであってもよい。
【００６６】
このような構成によれば、前眼部を撮影するためのアタッチメント４が装着されていない状態で前眼部撮影モードにより撮影が行われたり、前眼部を撮影するためのアタッチメント４が装着されている状態で眼底撮影モードにより撮影が行われたりすることがなく、誤った撮影モードで被検眼Ｅを撮影してしまう事態を防止することが可能になる。
【００６７】
〔第２実施形態〕
第１実施形態では、アタッチメント４の装着状態に応じてユーザインターフェイス８を制御することにより、当該装着状態に対して適正である撮影モードでのみ撮影可能とする場合について説明したが、これに限定されるものではない。第２実施形態では、アタッチメント４の種別に応じてユーザインターフェイス８を制御することにより、当該種別に対して適正である撮影モードでのみ撮影可能とする。以下では、第２実施形態に係る眼科装置について、第１実施形態との相違点を中心に説明する。
【００６８】
第２実施形態に係る眼科装置の光学ユニットには、２以上の撮影モードに対応する２以上のアタッチメントが選択的に装着可能である。たとえば、２以上の撮影モードには、眼底や前眼部だけではなく、硝子体や水晶体などの被検眼の任意の部位を撮影対象部位とする撮影モードが含まれる。アタッチメントもまた、撮影対象部位ごとに用意され、これらが選択的に眼科装置に適用される。
【００６９】
このような第２実施形態に係る眼科装置の構成が第１実施形態に係る眼科装置１の構成と異なる点は、制御部７に代えて制御部７ａが適用された点である。
【００７０】
図６に、第２実施形態に係る制御部の構成例の機能ブロック図を示す。図６において、図２と同様の部分には同一符号を付し、適宜説明を省略する。制御部７ａは、装着判定部７１と、インターフェイス制御部７２ａと、対応判定部７３ａと、種別特定部７４とを含む。
【００７１】
装着判定部７１は、アタッチメント４が光学ユニット２に装着されているか否かを判定する。
【００７２】
種別特定部７４は、装着判定部７１により装着されていると判定されたアタッチメント４の種別を特定する。アタッチメント４の種別には、前眼部撮影用アタッチメントや、水晶体撮影用アタッチメントなどがある。たとえば、種別特定部７４は、アタッチメント４の装着（または取り外し）に応じて発生する所定の物理量に基づいて、アタッチメント４の種別を特定する。装着検知部４１が磁気センサによりアタッチメント４の装着状態を検知する場合、種別特定部７４は、アタッチメント４の装着（または取り外し）に応じて発生する磁力の強さまたはその変動（量、方向）に基づいて、アタッチメント４の種別を特定することが可能である。装着検知部４１が圧力センサによりアタッチメント４の装着状態を検知する場合、種別特定部７４は、アタッチメント４の装着（または取り外し）に応じて発生する圧力またはその変動に基づいて、アタッチメント４の種別を特定することが可能である。
【００７３】
また、装着検知部４１が複数のマイクロスイッチを含み、装着されたアタッチメント４の種別に応じてオンになるマイクロスイッチが異なるようにこれらマイクロスイッチが配置されている場合、種別特定部７４は、オンになったマイクロスイッチを特定することにより、アタッチメント４の種別を特定することができる。また、種別特定部７４は、撮影光学系２２が有するカメラ（たとえば、ステレオ撮影を行うカメラ）からの画像に基づいて、アタッチメントの種別を特定してもよい。
【００７４】
この実施形態では、光学ユニット２にアタッチメント４が装着されていないと装着判定部７１により判定された場合、種別特定部７４は、アタッチメント４の種別として「種別なし」と特定する。
【００７５】
インターフェイス制御部７２ａは、種別特定部７４による特定結果に基づいてユーザインターフェイス８を制御する。その具体例として、インターフェイス制御部７２ａは、種別特定部７４による特定結果に対応する撮影モード以外の撮影モードを指定するための操作を禁止するようにユーザインターフェイス８を制御する。
【００７６】
撮影モードによっては、光学ユニット２に装着されているアタッチメント４の種別が対応していることを前提として所望の撮影機能が実現される。そこで、種別特定部７４により特定されたアタッチメント４の種別に対応する撮影モードを「指定可能な撮影モード」とし、それ以外の撮影モードを「指定不可能な撮影モード」として定義することが可能である。インターフェイス制御部７２ａは、種別特定部７４により特定されたアタッチメント４の種別において「指定可能な撮影モード」を指定するための操作を許可し、且つ、当該種別において「指定不可能な撮影モード」を指定するための操作を禁止するようにユーザインターフェイス８を制御する。ユーザインターフェイス８を制御する例として、インターフェイス制御部７２ａは、ユーザインターフェイス８の少なくとも操作部８２の機能を実現したタッチパネルの表示画面に表示されるアイコンの表示態様を変更することが可能である。
【００７７】
インターフェイス制御部７２ａにより変更されるアイコンの表示態様の例として、第１実施形態と同様の形態がある。「指定可能な撮影モード」を指定するためのアイコンに対してユーザが操作を行ったとき、インターフェイス制御部７２ａは、当該アイコンに対応した操作信号を制御部７ａに出力させることにより、撮影モードを指定するための操作を有効化する。「指定不可能な撮影モード」を指定するためのアイコンに対してユーザが操作を行ったとしても、インターフェイス制御部７２ａは、当該アイコンに対応した操作信号をマスクするなどして、撮影モードを指定するための操作を無効化する。
【００７８】
たとえば、「種別なし」と種別特定部７４により特定された（たとえば、光学ユニット２にアタッチメント４が装着されていないと装着判定部７１により判定された）場合、指定可能な撮影モードは眼底撮影モードであり、指定不可能な撮影モードは前眼部撮影モードである。したがって、「種別なし」と種別特定部７４により特定された場合、インターフェイス制御部７２ａは、図３Ａに示すように、表示画面９０において眼底撮影モードを指定するためのアイコン９１を識別可能に表示させ、前眼部撮影モードを指定するためのアイコン９２を表示させないようにする。ユーザは、眼底撮影モードを指定するためのアイコン９１に対してのみ操作が可能である。
【００７９】
また、たとえば、光学ユニット２に装着されているアタッチメント４の種別が前眼部撮影用アタッチメントであると種別特定部７４により特定された場合、指定可能な撮影モードは前眼部撮影モードであり、指定不可能な撮影モードは眼底撮影モードである。したがって、光学ユニット２に装着されているアタッチメント４の種別が前眼部撮影用アタッチメントであると種別特定部７４により特定された場合、インターフェイス制御部７２ａは、図３Ｂに示すように、表示画面９０において前眼部撮影モードを指定するためのアイコン９２を識別可能に表示させ、眼底撮影モードを指定するためのアイコン９１を表示させないようにする。ユーザは、前眼部撮影モードを指定するためのアイコン９２に対してのみ操作が可能である。
【００８０】
なお、インターフェイス制御部７２ａは、アタッチメント４の種別に応じて、各撮影モードにおいて設定可能なパラメータ（スキャンパターンや光学系２０の合焦位置など）を設定するための操作についても、禁止または許可する制御を行うことが可能である。
【００８１】
また、撮影モードを指定するための操作を許可するようにユーザインターフェイス８を制御する例として、表示画面に表示されるアイコンの表示態様を変更することなく、インターフェイス制御部７２ａは、単に、ユーザインターフェイス８の操作部８２に対するユーザによる当該撮影モードを指定するための操作のみを有効化してもよい。また、撮影モードを指定するための操作を禁止するようにユーザインターフェイス８を制御する例として、表示画面に表示されるアイコンの表示態様を変更することなく、インターフェイス制御部７２ａは、単に、ユーザインターフェイス８の操作部８２に対するユーザによる当該撮影モードを指定するための操作のみを無効化してもよい。
【００８２】
この実施形態に係る眼科装置は、指定された撮影モードで撮影開始指示が行われたとき、種別特定部７４によりアタッチメント４の種別を再度特定することが可能である。これにより、ユーザインターフェイス８を制御した後にアタッチメント４の種別が変更された場合であっても、誤った撮影モードで被検眼Ｅを撮影してしまう事態を防止することができる。そこで、制御部７ａは、対応判定部７３ａを有する。
【００８３】
対応判定部７３ａは、ユーザインターフェイス８（操作部８２）を用いて指定された撮影モードと種別特定部７４により特定されたアタッチメント４の種別との対応関係の適否を判定する。ユーザインターフェイス８を用いて指定された撮影モードとアタッチメント４の種別との対応関係を示すテーブル情報が、制御部７ａの図示しない記憶部にあらかじめ記憶されている（図７参照）。対応判定部７３ａは、記憶部にあらかじめ記憶されたテーブル情報に基づいて、指定された撮影モードとアタッチメント４の種別との対応関係の適否を判定することが可能である。
【００８４】
ユーザインターフェイス８を用いて指定された撮影モードが眼底撮影モードであり、種別特定部７４によりアタッチメント４の種別が「種別なし」として特定された（装着判定部７１によりアタッチメント４が光学ユニット２に装着されていないと判定された）場合、対応判定部７３ａは、図７に示すテーブル情報に基づいて、撮影モードとアタッチメント４の種別との対応関係は適正であると判定する。ユーザインターフェイス８を用いて指定された撮影モードが眼底撮影モードであり、種別特定部７４によりアタッチメント４の種別が特定された（装着判定部７１によりアタッチメント４が光学ユニット２に装着されていると判定された）場合、対応判定部７３ａは、図７に示すテーブル情報に基づいて、撮影モードとアタッチメント４の種別との対応関係は適正ではないと判定する。
【００８５】
また、ユーザインターフェイス８を用いて指定された撮影モードが前眼部撮影モードであり、種別特定部７４によりアタッチメント４の種別が「種別なし」として特定された場合、対応判定部７３ａは、図７に示すテーブル情報に基づいて、撮影モードとアタッチメント４の種別との対応関係は適正ではないと判定する。ユーザインターフェイス８を用いて指定された撮影モードが前眼部撮影モードであり、種別特定部７４により光学ユニット２に装着されたアタッチメント４が前眼部撮影用アタッチメントであると特定された場合、対応判定部７３ａは、図７に示すテーブル情報に基づいて、撮影モードとアタッチメント４の種別との対応関係は適正であると判定する。
【００８６】
撮影モードとアタッチメント４の種別との対応関係が適正であると対応判定部７３ａにより判定された場合、制御部７ａは、第１実施形態と同様に、少なくとも、光学系２０の制御を行う。
【００８７】
撮影モードとアタッチメント４の種別との対応関係が適正ではないと対応判定部７３ａにより判定された場合、制御部７ａは、第１実施形態と同様に、少なくとも、指定された撮影モードでの撮影を禁止するための制御を行う。
【００８８】
なお、撮影モードとアタッチメント４の種別との対応関係が適正ではないと対応判定部７３ａにより判定された後、対応判定部７３ａがこの対応関係の適否を再度判定し、当該対応関係が適正であると判定された場合、制御部７ａは、指定された撮影モードの撮影の禁止を解除することが可能である。対応判定部７３ａによる対応関係の適否の再判定タイミングは、所定の時間間隔であってもよいし、装着判定部７１による判定タイミングに同期させるようにしてもよい。また、ユーザが所定の操作を行ったことに対応して再判定を実行するようにしてもよい。
【００８９】
これにより、ユーザインターフェイス８の制御後にアタッチメント４の種別が変更された場合に、たとえば光学ユニット２に装着されたアタッチメント４の種別が正しくない状態で前眼部撮影モードにより撮影が行われることがなく、誤った撮影モードまたはアタッチメントで被検眼Ｅを撮影してしまう事態を防止することが可能になる。
【００９０】
［動作］
この実施形態に係る眼科装置の動作について説明する。図８は、この実施形態に係る眼科装置の動作の一例を表す。
【００９１】
（Ｓ２１）
まず、制御部７ａは、装着判定部７１において、アタッチメント４が光学ユニット２に装着されているか否かを判定する。また、制御部７ａは、種別特定部７４において、装着判定部７１により光学ユニット２に装着されていると判定されたアタッチメント４の種別を特定する。
【００９２】
（Ｓ２２）
次に、制御部７ａは、インターフェイス制御部７２ａにおいて、Ｓ２１において特定されたアタッチメント４の種別に応じてユーザインターフェイス８を制御する。たとえば、「種別なし」と種別特定部７４により特定された場合、インターフェイス制御部７２ａは、図３Ａに示すように、表示画面９０において眼底撮影モードを指定するためのアイコン９１を識別可能に表示させ、前眼部撮影モードを指定するためのアイコン９２を表示させないようにする。また、たとえば、光学ユニット２に装着されているアタッチメント４の種別が前眼部撮影用アタッチメントであると種別特定部７４により特定された場合、インターフェイス制御部７２ａは、図３Ｂに示すように、表示画面９０において前眼部撮影モードを指定するためのアイコン９２を識別可能に表示させ、眼底撮影モードを指定するためのアイコン９１を表示させないようにする。
【００９３】
（Ｓ２３）
次に、制御部７ａは、ユーザインターフェイス８（操作部８２）に対するユーザの撮影モードの指定を監視し、ユーザインターフェイス８に対してユーザにより指定された撮影モードを受け付ける。
【００９４】
（Ｓ２４）
次に、制御部７ａは、Ｓ２３において指定された撮影モードでの撮影開始指示がユーザにより操作部８２に対して行われたか否かを監視する（Ｓ２４：Ｎ）。操作部８２に対して撮影開始指示が行われたとき（Ｓ２４：Ｙ）、制御部７ａによる制御は、Ｓ２５に移行する。
【００９５】
（Ｓ２５）
操作部８２に対して撮影開始指示が行われたとき（Ｓ２４：Ｙ）、制御部７ａは、Ｓ２１と同様に、装着判定部７１において、アタッチメント４が光学ユニット２に装着されているか否かを判定する。また、制御部７ａは、種別特定部７４において、装着判定部７１により光学ユニット２に装着されていると判定されたアタッチメント４の種別を特定する。
【００９６】
（Ｓ２６）
次に、制御部７ａは、対応判定部７３ａにおいて、たとえば図７に示すテーブル情報にしたがって、Ｓ２３において指定された撮影モードとＳ２５において特定されたアタッチメント４の種別との対応関係の適否を判定する。Ｓ２３は、Ｓ２１のアタッチメント４の種別に応じて制御されたユーザインターフェイス８に対して行われる。Ｓ２６は、Ｓ２３において撮影モードの指定が行われた後にアタッチメント４の種別（装着状態を含めて）が変更された場合であっても、誤った撮影モードで被検眼Ｅを撮影してしまう事態を防止するために実行される。Ｓ２３において指定された撮影モードとＳ２５において特定されたアタッチメント４の種別との対応関係が適正であると判定されたとき（Ｓ２６：Ｙ）、制御部７ａによる制御は、Ｓ２７に移行する。一方、Ｓ２３において指定された撮影モードとＳ２５において特定されたアタッチメント４の種別との対応関係が適正ではないと判定されたとき（Ｓ２６：Ｎ）、制御部７ａによる制御は、Ｓ２８に移行する。
【００９７】
（Ｓ２７）
Ｓ２６において、Ｓ２３において指定された撮影モードとＳ２５において特定されたアタッチメント４の種別との対応関係が適正であると判定されたとき（Ｓ２６：Ｙ）、制御部７ａは、Ｓ７と同様に、Ｓ２３において指定された撮影モードでの撮影の許可制御を行う。
【００９８】
Ｓ２７では、たとえば、Ｓ７と同様に、次のような制御が可能である。Ｓ２６において対応判定部７３ａの判定結果に基づいて眼底撮影モードでの撮影が許可された場合、制御部７ａは、合焦操作部８２２を用いた操作に基づいて撮影光学系２２および干渉光学系２１の双方の合焦位置を移動させることが可能である。一方、Ｓ２６において対応判定部７３ａの判定結果に基づいて前眼部撮影モードでの撮影が許可された場合、制御部７ａは、干渉光学系２１の合焦位置の移動を禁止し、且つ、合焦操作部８２２を用いた操作に基づいて撮影光学系２２の合焦位置を移動させることが可能である。
【００９９】
こうして、Ｓ２７において、制御部７ａは、Ｓ２３において指定された撮影モードで、上記のように制御された光学系２０の配置で、被検眼Ｅの撮影を行う。
【０１００】
（Ｓ２８）
Ｓ２６において、Ｓ２３において指定された撮影モードとＳ２５において特定されたアタッチメント４の種別との対応関係が適正ではないと判定されたとき（Ｓ２６：Ｎ）、制御部７ａは、Ｓ８と同様に、Ｓ２３において指定された撮影モードでの撮影の禁止制御を行う。
【０１０１】
（Ｓ２９）
Ｓ２８の禁止制御が所定の繰り返し回数以内のとき（Ｓ２９：Ｙ）、制御部７ａによる制御は、Ｓ２５に移行する。これにより、所定の繰り返し回数以内で、Ｓ２３において指定された撮影モードでの撮影の禁止を解除することが可能になる。一方、Ｓ２８の禁止制御が所定の繰り返し回数以内ではないとき（Ｓ２９：Ｎ）、制御部７ａによる制御は、Ｓ２１に移行する。
【０１０２】
なお、制御部７ａは、Ｓ２４において、Ｓ２３において指定された撮影モードでの撮影開始指示が行われたとき、Ｓ２５およびＳ２６のアタッチメント４の種別との対応関係の適否を判定することなく、Ｓ２７において、Ｓ２３において指定された撮影モードで被検眼Ｅの撮影を行うようにすることも可能である。
【０１０３】
［効果］
この実施形態に係る眼科装置の効果について説明する。
【０１０４】
この実施形態に係る眼科装置は、２以上の撮影モードに対応する２以上のアタッチメントが選択的に装着された状態で被検眼Ｅの撮影を行う。眼科装置は、ユーザインターフェイス８（インターフェイス部）と、種別特定部７４と、制御部７ａとを含む。ユーザインターフェイス８は、撮影モードを指定するために用いられる。種別特定部７４は、装着されているアタッチメント４の種別を特定する。制御部７ａは、種別特定部７４による特定結果に対応する撮影モード以外の撮影モードを指定するための操作を禁止するようにユーザインターフェイス８を制御する。
【０１０５】
このような構成によれば、アタッチメント４の種別に応じてユーザインターフェイス８を制御することにより、当該撮影状態に対応した撮影モード以外の撮影モードを指定するための操作を禁止することができるので、誤った撮影モードで被検眼Ｅを撮影してしまう事態を防止することが可能である。
【０１０６】
また、眼科装置は、対応判定部７３ａを含んでもよい。対応判定部７３ａは、指定された撮影モードでの撮影の開始が指示された後に種別特定部７４により特定されたアタッチメント４の種別と、ユーザインターフェイス８を用いて指定された撮影モードとの対応関係の適否を判定する。制御部７ａは、対応関係が適正ではないと判定されたときには、指定された撮影モードの撮影を禁止するための制御を行い、対応関係が適正であると判定されたときには、指定された撮影モードの撮影を許可する。
【０１０７】
このような構成によれば、ユーザインターフェイス８の制御後にアタッチメント４の種別が変更された場合に、たとえば光学ユニット２に装着されたアタッチメント４の種別が正しくない状態で前眼部撮影モードにより撮影が行われることがなく、誤った撮影モードまたはアタッチメントで被検眼Ｅを撮影してしまう事態を防止することが可能になる。
【０１０８】
以上に説明した構成は、この発明を好適に実施するための一例に過ぎない。よって、この発明の要旨の範囲内における任意の変形（省略、置換、付加等）を適宜に施すことが可能である。
【０１０９】
たとえば、アタッチメントの装着状態に応じて解析モードを切り替えることにより、当該アタッチメントに対応した被検眼の撮影画像の解析処理を行う場合に、上記の実施形態のいずれかを適用することが可能である。解析モードの切り替えの例として、眼底解析モードと前眼部解析モードとの切り替えがある。眼底解析モードでは、たとえば、網膜厚、層形状、病変の態様（ドルーゼン分布等）などがＯＣＴ画像や眼底像に基づき評価される。前眼部解析モードでは、たとえば、角膜厚、角膜形状、隅角などがＯＣＴ画像や前眼部像に基づき評価される。また、たとえば、アタッチメントの装着状態に応じてスキャンモードを切り替えることにより、当該アタッチメントに対応した被検眼のスキャン画像を取得する場合にも、上記の実施形態のいずれかを適用することが可能である。スキャンモードの例として、ＯＣＴ画像を取得するための測定光のスキャンパターンがある。
【０１１０】
また、たとえば、画角を変更するための光学部材を有するアタッチメントの装着状態に応じて通常画角モードや広角撮影モードなどに切り替えることにより撮影画角を切り替える場合にも、上記の実施形態のいずれかを適用することが可能である。また、たとえば、被検眼の屈折力に応じた光学部材を有するアタッチメントの装着状態に応じて通常眼撮影モードや（超）強度近視眼撮影モードなどに切り替えることにより被検眼に適用される屈折力を切り替える場合にも、上記の実施形態のいずれかを適用することが可能である。
【０１１１】
撮影モードの指定は、撮影モード自体を指定する操作には限定されない。たとえば、疾患名と撮影モードとをあらかじめ関連付けておくことができる。診断（または治療）に関する疾患名を指定する操作が行われたことに対応し、指定された疾患名に関連付けられた撮影モードを（自動で）選択することができる。なお、複数の撮影モードに関連付けられる疾患も存在する。このような場合、２以上の撮影モードに順序を付すことが可能である。たとえば緑内障の診断においては、眼底（視神経乳頭等）と前眼部（隅角等）の双方を考慮することがある。緑内障モードに対して眼底撮影モードと前眼部撮影モードが関連付けられ、眼底撮影モードに「順序１」が付され、前眼部撮影モードに「順序２」が付されている場合において、緑内障モードが指定されると、「順序１」が付された眼底撮影モードがまず選択される。この場合、緑内障モードの指定操作が眼底撮影モードの指定に相当する。さらに、眼底撮影モードの終了トリガまたは前眼部撮影モードの開始トリガを前眼部撮影モードの指定とみなすことが可能である。
【符号の説明】
【０１１２】
１  眼科装置
２  光学ユニット
２０  光学系
２１  干渉光学系
２１ａ、２２ａ、５  移動機構
２２  撮影光学系
４  アタッチメント
４１  装着検知部
７、７ａ  制御部
７１  装着判定部
７２、７２ａ  インターフェイス制御部
７３、７３ａ  対応判定部
７４  種別特定部
８１  情報出力部
８２  操作部
８２１  光学系操作部
８２２  合焦操作部
Ｅ  被検眼
Ｅａ  前眼部
Ｅｆ  眼底
【図１】
0006490383.tif 000002
【図２】
0006490383.tif 000003
【図３Ａ】
0006490383.tif 000004
【図３Ｂ】
0006490383.tif 000005
【図４】
0006490383.tif 000006
【図５】
0006490383.tif 000007
【図６】
0006490383.tif 000008
【図７】
0006490383.tif 000009
【図８】
0006490383.tif 000010